(57)【要約】【課題】  大型の表示装置で低音周波数帯域の音量を簡便に補強できる壁掛け支持装置とする。【解決手段】  壁掛け支持装置を、ディスプレイ装置１のリヤーカバー３に固定されるウーハー（スピーカー）ユニット４付きフックユニット２０と壁１００に固定されるプレートユニット３０から構成し、プレートユニット３０に設けられリンク構造を構成する第１のレバー３２と第２のレバー３３の、傾斜して固定された第１のレバー３２先端の掛合軸３２ａにフックユニット２０のフック２１ａを懸架した状態で、プレートユニット３０とフックユニット２０の下部を固定し、ディスプレイ装置１の表示画面２のチルト角を変更固定できるようにするとともに、ディスプレイ装置１の後側に設けられるウーハーユニット４のスピーカー面を壁１００に対向して近接配置するようにして、低音周波数帯域の音量の補強と臨場感ある音場生成をできるようにした。【選択図】  図１ 
2006033099.tif 000002
【特許請求の範囲】
【請求項１】
表示装置背面に固定され、フックを左右に１組備えたフックユニットと、
壁に固定され、前記フックとの掛合軸を左右に１組備えたプレートユニットと、
前記フックユニットと前記プレートユニットとを下部で掛止する掛止手段とからなる表示装置の壁掛け支持装置において、
前記プレートユニットは、
ベースプレートと、該ベースプレートに設けられる第１の軸と、
一端に前記掛合軸を有し、略中央に第２の軸と他端に第３の軸とが設けられる第１のレバーと、
一端が前記第１の軸と回動自在に係合し他端が前記第２の軸に回動自在に係合される第２のレバーと、
前記第１のレバーの前記第３の軸の前記ベースプレートへの取り付け位置を変えることができるように軸受を備えるとともに、
前記フックにより前記プレートユニットの前記掛合軸に回動自在に懸架される前記フックユニットに前記壁に対向する向きにウーハースピーカーを内蔵したエンクロージャーを一体に設けた
ことを特徴とする表示装置の壁掛け支持装置。
【請求項２】
請求項１に記載の表示装置の壁掛け支持装置において、
前記表示装置背面に前記フックユニットを位置決めすることにより、前記ウーハースピーカーと前記表示装置との電気的接続を行うことができるように前記フックユニットに接続コネクタを設けた
ことを特徴とする表示装置の壁掛け支持装置。
【発明の詳細な説明】
【技術分野】
【０００１】
本発明は、平面薄型で大きな表示画面を有する、例えば液晶ディスプレイ装置やプラズマディスプレイ装置などを壁に固定して用いるのに好適で、臨場感溢れる音の再現を行うことができる表示装置の壁掛け支持装置に関する。
【背景技術】
【０００２】
近年、テレビ映像やＤＶＤ（Digital  Versatile  Disc）などの映画ソフトなどの再生を目的として従来のＣＲＴ（Cathode  Ray  Tube）採用の表示装置よりも薄型で軽量であるという利点から、平面薄型で大きな表示画面を有する液晶ディスプレイ装置やプラズマディスプレイ装置などの表示装置を壁などに固定し、ホームシアターとして楽しむニーズが増えている。
このような表示装置をホームシアターのモニターとして用いる場合、臨場感溢れる音声、音場の再現が要求されるが、内蔵されるスピーカーとそのエンクロージャー部は、表示装置自体の薄型デザインに制約されて、その容積を大きく確保することができないため、低音域を再生するのに難しかった。
すなわち、表示装置の大画面に相応しい高音域から低音域までを十分な音量で鳴らしたり再生するには、内蔵できる小型のスピーカーだけでは特に低音周波数帯域の音量不足が否めず大音量を強調する音場を得ることも出来なかった。このため、低音域の音量不足を補うため、表示装置とは別に外部機器を接続してサラウンドシステムを構築する必要があり、ウーハースピーカーなどへの専用配線を別に設けてリスニングルーム内に布設することを要していた。
【０００３】
従来、サラウンド機能をもち臨場感溢れる音声を容易に再現するものとして特許文献１に開示されている薄形表示装置用取付け部材が知られている。この特許文献１には、薄形表示装置を壁に掛けた状態で画像を視聴する目的で、表示装置を壁に固定するための壁掛け部材において、より臨場感のある音声を提供するために表示装置に備え付けのスピーカーとは別にサラウンド用のスピーカー或いはアンプとスピーカーを壁取り付け部材と一体化したものである。
【特許文献１】特開２００２−２６８５７８号公報（第２頁左欄、図１）
【発明の開示】
【発明が解決しようとする課題】
【０００４】
しかしながら、特許文献１に開示されている薄形表示装置用取付け部材では、次のような問題があった。
サラウンド機能内蔵壁掛け部材には、全音域に亘るサラウンドスピーカー、センタースピーカー、スーパーウーハーを固定されるものの、スピーカーを収納するエンクロージャーとして箱体になっていないため、スピーカーの相互干渉などにより音声出力の効率を大きくできない。また、サラウンド機能内蔵壁掛け部材は壁固定部材に予め取り付けられた後に、表示装置の背面に設けられる引っ掛け部材で固定されるため、別途サラウンド機能部と薄形表示装置との配線を行わねばならない。また、一般に表示装置の背面に配される外部接続端子への外部機器の追加接続も一旦表示装置を外して行うことになるため、特に大型で薄形表示装置では重量があるため、二人がかりの作業となり一般ユーザーではできないおそれがあり、この場合、専門店、販売店や施工業者に依頼しなければならなかった。さらに、壁固定部材に対して表示装置が一体に取り付けられるため、表示画面の向きを変えることができないなどの不都合があった。
【０００５】
かかる点に鑑み本発明は、低音域の音量を補強して臨場感溢れる音場を容易に実現するとともに、表示装置の画面の傾きを簡便に設定できる表示装置の壁掛け支持装置を提案することを目的とする。
【課題を解決するための手段】
【０００６】
上記課題を解決し、本発明の目的を達成するため、本発明は、表示装置背面に固定され、フックを左右に１組備えたフックユニットと、壁に固定され、フックとの掛合軸を左右に１組備えたプレートユニットと、フックユニットとプレートユニットとを下部で掛止する掛止手段とからなる表示装置の壁掛け支持装置において、プレートユニットは、ベースプレートと、このベースプレートに設けられる第１の軸と、一端に掛合軸を有し、略中央に第２の軸と他端に第３の軸とが設けられる第１のレバーと、一端が第１の軸と回動自在に係合し他端が第２の軸に回動自在に係合される第２のレバーと、第１のレバーの第３の軸のベースプレートへの取り付け位置を変えることができるように軸受を備えるとともに、フックによりプレートユニットの掛合軸に回動自在に懸架されるフックユニット壁に対向する向きにウーハースピーカーを内蔵したエンクロージャーを一体に設けたものである。
【０００７】
このように構成した本発明の表示装置の壁掛け支持装置によれば、フックユニットのフックが壁に固定されたプレートユニットの掛合軸に懸架するように掛合されるため、この掛合軸まわりに表示装置が回動自在とされ、軸受の取り付け位置を変えて表示装置を所定チルト角にすることができるとともに、表示装置背面のフックユニットに設けられるエンクロージャーに内蔵されるウーハースピーカーにより、低音周波数帯域の音量を増強させるように掛止手段で固定することができる。
【０００８】
また、本発明は、上記記載の表示装置の壁掛け支持装置において、表示装置背面にフックユニットを位置決めすることにより、ウーハースピーカーと表示装置との電気的接続を行うことができるようにフックユニットに接続コネクタを設けたものである。
【０００９】
このように構成した本発明の表示装置の壁掛け支持装置によれば、ウーハースピーカーと表示装置との電気的接続を後から外部ケーブルで行う必要がなくなり、表示装置本体の内蔵スピーカーと同様の取り扱いをすることができ、取り扱いが極めて簡便にすることができる。
【発明の効果】
【００１０】
本発明の表示装置の壁掛け支持装置によれば、表示装置の画面を視聴者の正面に向くように容易に変更することができるとともに、表示装置の内蔵スピーカーでは不足する低音周波数帯域の音量を補強して臨場感溢れる音場を簡便に実現することができる。
【発明を実施するための最良の形態】
【００１１】
以下、本発明の表示装置の壁掛け支持装置を実施するための最良の形態の例を、図１〜図１２を参照して説明する。
図１２で１は、壁１００に取り付けられた大型の表示装置、例えばプラズマディスプレイ装置（以下、「ディスプレイ装置」と称する）を示し、この前面の表示画面２にＴＶ放送などの受像映像や外部接続されたＡＶ機器による映像が表示される。
図２は、図１２で示すディスプレイ装置１を表示画面２の側から透過して本例の表示装置の壁掛け支持装置を示した斜視図であり、この壁掛け支持装置は、図１に示すように、ディスプレイ装置１のリヤーカバー３（図３参照）に固定されるフックユニット２０と、壁１００に固定されるプレートユニット３０との２分割構成であり、図２は、フックユニット２０とプレートユニット３０とが連結固定され、ディスプレイ装置１の表示画面２が壁１００と略平行になるように、取り付けられた状態を示している。
【００１２】
以下、図２〜図５を参照してフックユニット２０を説明する。なお、以下ではフックユニット２０は略左右対称であるので、左右が略対称な部品では左右の何れか一方の部品のみ説明し、共通の部品ではその符号の添え字Ｒ（右）、Ｌ（左）を省略して記す。
図３は、図１に示すフックユニット２０が一体に取付けられたディスプレイ装置１を裏面から見た斜視図で、図４は、図３に示すディスプレイ装置１のリヤーカバー３から取り外したフックユニット２０を三面図で示したものである。また、図５は、フックユニット２０の斜視図である。
なお、図２〜図４は、後述するウーハースピーカーユニットを合わせて示した図であり、図５はこれを外しフックユニット２０単体で示したものである。
【００１３】
フックユニット２０は、図３に示すように、ディスプレイ装置１のリヤーカバー３に設けられ、２本のブラケット２１Ｒ，２１Ｌ、ステー２２、サポートプレート２３などから構成される。
図３で４は、低音周波帯域用のスピーカーを箱体のエンクロージャーに内蔵しているウーハースピーカーユニット（以下、単にウーハーユニットと称する）を示している。
【００１４】
ブラケット２１Ｒは、図４Ａ及び図５に示すように、コの字状に曲げ加工された例えば鋼板などの金属を表面処理したもので、図４Ｃ及び図５に示すように、側面２１-2，２１-4の上端付近に鉤手（かぎて）状のフック２１ａを下向きに設け、このフック２１ａの開口２１ａ-1をブラケット２１の縁辺２１-1から突設させるとともに、フック２１ａの先端から凹部２１ｂを縁辺２１-1に対し斜めに食い込むように設ける。このとき凹部２１ｂから開口２１ａ-1まで開口幅が広がるようにされる。
また、ブラケット２１Ｒの、略中央下側の縁辺２１-1にこの縁辺２１-1を僅かに削り込むように凹部２１ｉを設け、下端付近に先端が略半円の突起２１ｈを設ける。
そして、突起２１ｈより上の位置に、上向きの開口２１ｄ-1を有するロック爪２１ｄを縁辺２１-1から突設し、ロック爪２１ｄの開口の下端２１ｄ-2から、図４Ｃに示す略水平方向にブラケット２１Ｒの縁辺２１-1に食い込むように開口を延長し、係合凹部２１ｅを形成する。
【００１５】
さらに、図４Ａに示すように、ブラケット２１Ｒの側面２１-3にはディスプレイ装置１のリヤーカバー３との取り付け孔２１ｋ，２１ｋが設けられるとともに、側面２１-4には後述するアングル２４Ｒとの取り付けネジ孔が穿孔される。そして、ブラケット２１Ｒの下端には、側面２１-3が延設されて折り曲げられ、後述するステー２２と固定するようになされる。
また、フック２１ａ近くにネジ孔２１ｆ、ロック爪２１ｄ近くにネジ孔２１ｇ、突起２１ｈの略中央にネジ孔２１ｊが設けられる。
そして、ブラケット２１Ｌは、図４及び図５に示すように、ブラケット２１Ｒと線対称（勝手違い）に作製される。
【００１６】
アングル２４Ｒ，２４Ｌは、Ｌ字状に曲げた鋼板などの金属を表面処理したもので、一面にブラケットとのネジ挿通孔を設け、他面に後述するサポートプレート２３を取り付けるためのネジ挿通用の長孔を設ける。なお、アングル２４Ｒとアングル２４Ｌとは、勝手違いに作製される。
【００１７】
ステー２２は、図４及び図５に示すように、Ｌ字状に曲げ加工された鋼板などの金属を表面処理したもので、両端２２-1，２２-2に図４Ａ及びＤに示すようにネジ挿通孔を設けるとともに、一端２２-1側に偏らせて切欠き２２ａを設け、他端２２-2側にコネクタユニット２５を設けるようにする。
ここで、コネクタユニット２５は、位置合わせピン２５ｂ，２５ｂとコネクタ２５ａから構成されるもので、コネクタ２５ａの図示しない端子ピンは前述のウーハーユニット４と電気的に接続され、ウーハーユニット４が一体に組み込まれたフックユニット２０をディスプレイ装置１のリヤーカバー３に固定すると、コネクタ２５ａがディスプレイ装置１の該当スピーカー端子に嵌めこむようになされる。
【００１８】
サポートプレート２３は、略長方形の鋼板などの金属をプレス及び曲げ加工したのち表面処理したもので、図４Ｂ及び図５に示すように、横長とした鋼板の上部の２隅を大きく、下部の２隅を小さく切欠き、大きなコの字にしたあと左右両端辺をさらに折り曲げ、外側に張り出す縁辺２３-2，２３-3を形成しこの面にネジ孔を設ける。
また、サポートプレート２３の上下辺を僅か折り曲げ、曲げ部２３-4，２３-5を面２３-1に対し縁辺２３-2，２３-3と同じ側に形成する。
さらに、サポートプレート２３の面２３-1には、図５に示すように、４箇所のすり鉢状凹部２３ａ，２３ａ，・・が曲げ部２３-4，２３-5と同じ側に突設するように形成され、その底部に孔２３ｂ，２３ｂ，・・を設ける。
【００１９】
ウーハーユニット４は、図３及び図４に示すように、略箱型エンクロージャーの曲面をなす一面の略中央に、半径の等しい二つの円を共通外接線でつないだ形の網状部４ａを縦長に設け、内部に低音周波帯域を主音域とするウーハースピーカーを配設するとともに、下面図４Ｄに示すように、略箱型エンクロージャーの下面にダクトポート４ｂ，４ｂを２箇所設けバスレフ型エンクロージャーとして低音を補強するように構成される。
そして、網状部４ａの反対面となるウーハーユニット４の背面には、サポートプレート２３の曲げ部２３-4，２３-5とすり鉢状凹部２３ａ，２３ａ，・・に対応して、図示しない２つの長溝と４つの底部にネジ孔が設けられた凹部が形成される。なお、ウーハースピーカーへの給電配線はエンクロージャーとしての特性を損なわないようにして外部に引出される。
【００２０】
このように構成されたフックユニット２０は、図５に示すように、先ずアングル２４Ｒをネジで固定したブラケット２１Ｒを、ステー２２の一端２２-1に立設し、アングル２４Ｌをネジで固定したブラケット２１Ｌを他端２２-2に立設する。そして、アングル２４Ｒとアングル２４Ｌの間にサポートプレート２３を掛け渡し、アングル２１Ｒと２１Ｌの長孔側からサポートプレート２３の縁２３-2，２３-3に設けられたネジ孔にネジを螺入しアングル２４Ｒ，２４Ｌとポートプレート２３とを固定し組み立てる。
【００２１】
また、ウーハーユニット４のフックユニット２０への装着は、先ず、サポートプレート２３のすり鉢状凹部２３ａ，２３ａ，・・の底部の孔２３ｂ，２３ｂ，・・に図示しない防振用の筒状ゴムを設ける。そして、図５に示すフックユニット２０のサポートプレート２３の上下辺の曲げ部２３-4，２３-5をウーハーユニット４の背面に設けられた２つの長溝に嵌め込み、孔２３ｂ，２３ｂ，・・の筒状ゴムにネジを挿通して位置決め固定する。それから、図４Ａに示すウーハーユニット４への給電配線４ｃが、ブラケット２１Ｌのコの字の凹部に布設されステー２２に設けられるコネクタ２５ａの端子ピンに接続される。
そして、ウーハーユニット４が装着されたフックユニット２０が、図４Ｂに示すブラケット２１の孔２１ｋ、２１ｋを用いて、図３に示すように、ディスプレイ装置１のリヤーカバー３に固定される。
【００２２】
次に、プレートユニット３０を、図２，図６〜図８を参照して説明する。なお、以下では、プレートユニット３０も略左右対称であるので、左右が略対称な部品では左右の何れか一方の部品のみを説明し、共通の部品ではその符号の添え字Ｒ（右）、Ｌ（左）を省略して記す。
図６はプレートユニット３０の正面図と側面図を示し、図７はプレートユニット３０の斜視図、図８は図７の要部拡大斜視図である。
プレートユニット３０は、図６及び図７に示すように、壁１００に直接固定されるベースプレート３１、このベースプレート３１上の左右に配される、第１のレバー３２Ｒ，３２Ｌ、第２のレバー３３Ｒ，３３Ｌ、ストッパ３４Ｒ，３４Ｌ、チルト止め具３５Ｒ，３５Ｌなどから構成される。
【００２３】
ベースプレート３１は、図６及び図７に示すように、略矩形の比較的厚い鋼板の四辺を折り曲げ補強して横長に配し、このベースプレート３１の前面３１-1の左右に略縦長矩形状のエンボス加工部３１Ｌ，３１Ｒで膨らみを形成する。
そして、エンボス加工部３１Ｌには、第１の軸３１ｂを挿通する軸受３１ａ，３１ａを設け、この軸受３１ａ，３１ａの間の略中心を通り略鉛直方向に、ネジ孔３１ｂ-1〜３１ｂ-3が異なるピッチで複数設けられる。
ここで軸受３１ａ，３１ａは、例えばベースプレート３１上で２つの半円弧状の切り溝を対称に設け、この半円部を突設するように折り曲げて軸挿通孔を設けて形成される。
そして、ネジ孔３１ｂ-1はエンボス加工部３１Ｌの上部に後述する第１及び第２のレバー３２，３３のネジ挿通用の孔に対応して設けられ、ネジ孔３１ｂ-2，３１ｂ-2，…は、後述する軸受３６Ｌの取り付け位置に応じて複数設けられる。また、ネジ孔３１ｂ-3は、後述するストッパ３５Ｌを固定するために設けられる。
【００２４】
また、エンボス加工部３１Ｒにもエンボス加工部３１Ｌと同様に、ベースプレート３１の中心に対してエンボス加工部３１Ｌと線対称となる位置に、軸受３１ａ，３１ａ及びネジ孔３１ｂ-1〜３１ｂ-（図８参照）及び後述するストッパ３５Ｌの固定用のネジ孔が設けられる。
そして、ベースプレート３１の周辺部及び左右に分ける中心軸にベースプレート３１を壁１００に固定するためのネジ挿通用の孔３１ｃ，３１ｃ，…を複数設ける。なお、図６及び図７に示す中央下の丸孔３１ｄは、ディスプレイ装置１への配線用のケーブルを挿通するための孔を壁１００に穿つことができる場合に用いる孔である。
【００２５】
第１のレバー３２Ｌは、図７及び図８に示すように、略長方形板の短辺に逆Ｔの字に切れ目を入れた後コの字状に折り曲げ加工されて面３２-1，３２-2，３２-3が形成された鋼板などの金属からなるものである。そして、対向する側面３２-1，３２-3の先端部に掛合軸３２ａが固定され、略中央に第２の軸３２ｂ、下端部に第３の軸３２ｃが回動自在に設けられる。
また、先端部の掛合軸３２ａ近くで側面３２-1にこの軸中心を円弧の中心とする円弧状の長孔３２ｄが設けられ、面３２-2にはネジ挿通用の孔３２ｆが設けられる。
なお、この先端部はコの字状に加工されることにより、逆Ｔの字の切れ目が開かれて形成され、図８に示す隅部３２ｅは、第１のレバー３２Ｌが図７に示すようにベースプレート３１に略密着するようにされるとき、第１の軸３１ｂと干渉しない位置となるように形成される。
そして、第１のレバー３２Ｌの下端には第３の軸３２ｃを支持する軸受３６Ｌが設けられる。
【００２６】
軸受３６Ｌは、図７及び図８に示すように、コの字状の対向する面３６-1，３６-3に第３の軸３１ｂの挿通孔を設け、面３６-2に略直交し第３の軸３１ｂと略平行に延設した面３６-4にネジ挿通用の長孔３６ａを設ける。
【００２７】
第２のレバー３３Ｌは、図７及び図８に示すように、鋼板などの金属を、矩形形状の対向する２辺に両端に孔を有する長い短冊を設けて略Ｈ字の形状にし、両側の短冊の部分を折り曲げコの字状にしたものである。そして、２つの短冊の両端の孔が第１の軸３１ｂの挿通孔と第２の軸３２ｂの挿通孔とされ、中の矩形形状部には、ネジ挿通用の孔３３ａを設ける。
【００２８】
ストッパ３４Ｌは、ストッパ３４Ｒと同一形状なので図７の右側に示すように、コの字状の対向する面３４-1，３４-3に後述するチルト止め具３５Ｒを回動軸させるための挿通孔を設け、面３４-2に略直交し回動軸と略平行となるように延設した面３４-4にネジ挿通用の孔３４ａを設ける。また、面３４-1から延設して面３４-5、面３４-3から延設して面３４-6をチルト止め具３５Ｌの回動軸と略平行となるように折り曲げ、その上端部にチルト止め具３５Ｌの受けとなる凹部３４ｂ，３４ｂを設ける。また、面３４-1，３４-3には長孔３４ｃ，３４ｃが設けられる。
【００２９】
チルト止め具３５Ｌは、比較的太い鋼線で、図６Ａ及び図７に示すように、ストッパ３４Ｌの挿通孔に配設される短い直線部３５ａとこれと対向する長い直線部３６ｂとを有し、直線部３５ａ，３５ｂの両端をそれぞれ直線部とクランク部とにより連結したものである。そして、短い直線部３５ａには捻りコイルバネが組み込まれ、図７に示すように、ストッパ３４Ｌの凹部３４ｂ，３４ｂに係合するように付勢される。
【００３０】
そして、エンボス加工部３１Ｒにも同様に、第１のレバー３２Ｒ、第２のレバー３３Ｒ、ストッパ３４Ｒ、チルト止め具３５Ｒ、軸受３６Ｒが組み込まれる。
ここで、第２のレバー３３Ｒ、ストッパ３４Ｒ、軸受３６Ｒは、上述第２のレバー３３Ｌ、ストッパ３４Ｌ、軸受３６Ｌと同一形状に、第１のレバー３２Ｒ、チルト止め具３５Ｒは、第１のレバー３２Ｌ、チルト止め具３５Ｌと線対称（勝手違い）形状で作製される。
【００３１】
このように構成されたプレートユニット３０は、図８に示すように、第２の軸３２ｂを介して第１のレバー３２に第２のレバー３３の一端を回動自在に設け、第３の軸３２ｃを介して第１のレバー３２の下端に軸受３６を回転自在に設ける。そして、第１の軸３１ｂを介してベースプレート３１に設けられた軸受３１ａに第２のレバー３３の他端を回動自在に設ける。
そして、ディスプレイ装置１の画面２を壁１００と略平行となるチルト角が略０°とする場合、図７に示すように、重ね合わされた第1のレバー３２の孔３２ｆと第２のレバー３３の孔３３ａにネジを挿通し、ベースプレート３１に穿たれたネジ孔３１ｂ-1に螺入して固定するとともに、ネジ孔３１ｂ-2，３６ｂ-2，…のうちの最下のネジ孔（チルト角０°に対応）に軸受３６の長孔３６ａを介してネジを螺入して軸受３６を固定する。
これにより、第１のレバー３２の掛合軸３２ａがベースプレート３１に最も近づくように配設される。
【００３２】
また、ストッパ３４は、図７に示すように、チルト止め具３５が組み込まれた状態でネジ挿通用の孔３４ａを介してベースプレート３１に設けられたネジ孔３１ｂ-3にネジを螺入し固定する。このとき、チルト止め具３５には図示しない捻りコイルバネが挿通されて組み込まれ、このバネにより通常は、チルト留め具３５が図６に示す上方に跳ね上げられた状態に付勢される。  
なお、上述では軸受３６、ストッパ３４は、単にベースプレート３１にネジで固定するとして説明したが、これに限らず、軸受３６、ストッパ３４のベースプレート３１への接触部に突起を設けるとともに、ベースプレート３１にこの突起に対応して長孔などを設け、これらを嵌合させた上でネジで固定して位置ずれ防止できるようにしてもよい。  
【００３３】
次に、プレートユニット３０へのフックユニット２０の組み付けを図１，図３，図７及び図９を参照して説明する。
上述のように作製されたプレートユニット３０は、先ずベースプレート３１の孔３１ｃ，３１ｃ，…に木ネジあるいは壁１００にアンカーボルトを埋め込んだ後であれば通常のネジを螺入し、図７に示すように、壁１００に固定する。このとき第１のレバー３２Ｌ，３２Ｒの掛合軸３２ａと３２ａが略水平となるようにする。
次に、図９に示す（イ）のように、フックユニット２０がリヤーカバー３に固定されたディスプレイ装置１（図３参照）を、壁１００と略平行に把持する。
次に、図１及び図９に示す（ロ）のように、フックユニット２０のブラケット２３の縁辺２１-1（図４Ｃ参照）に設けられている凹部２１ｉをチルト用止め具３５と対向するように把持しながらディスプレイ装置１をプレートユニット３０に近づける。  
【００３４】
次に、図９に示す（ロ）ように、凹部２１ｉをチルト用止め具３５に接触させる。その後、矢印のように、凹部２１ｉでチルト用止め具３５を押し上げるようにディスプレイ装置１と持ち上げる。
次に、図９に示す（ハ）のように、フックユニット２０のフック２１ａをプレートユニット３０の掛合軸３２ａに引っ掛けてディスプレイ装置１を懸架するようにする（図１参照）。
最後に、図９に示す（ハ）の状態で、第１のレバー３２の円弧状の長孔３２ｄと、ブラケット２１上部のフック２１ａ近くのネジ孔２１ｆに図示しないネジを螺入するとともに、ストッパ３４に設けた長孔３４ｃとブラケット２１下部の突起２１ｈのネジ孔２１ｊに図示しないネジを螺入する。これにより、フックユニット２０とプレートユニット３０とが外れないように連結され、ディスプレイ装置１が壁１００に対してがたなく一体に固定される。
【００３５】
以上のように構成された壁掛け支持装置を、図１０を参照して説明する。
図１０Ａは、ディスプレイ装置１が、壁１００と略平行となるように固定されている状態を示している（図９（ハ）参照）。
先ず、図１０Ａの状態で、壁掛け支持装置の下部でフックユニット２０とプレートユニット３０とを連結している長孔３４ｃに挿通されているネジを外し、固定を解除する。このとき、円弧状の長孔３２ｄに螺入されているネジは僅か緩める。これにより、ディスプレイ装置１はプレートユニット３０の第１のレバー３２の掛合軸３２ａで揺動自在に懸架される。
【００３６】
次に、図１０Ｂに示すように、ディスプレイ装置１の下端を把持し、壁１００から遠ざけるように図１０Ｂに示す矢印イの方向に回動する。このとき、チルト止め具３５がバネで図１０Ｂに示す矢印ロの方向に付勢される。
次に、図１０Ｂに示す状態からディスプレイ装置１の下端を図１０Ｃに示す矢印イの方向にさらに回動させ、チルト止め具３５をフックユニット２０のブラケット２１ロック爪２１ｄの開口２１ｄ-1に挿着する。
最後に、ディスプレイ装置１の下端の把持を解放する。これにより、図１０Ｃに示すように、ディスプレイ装置１の自重で、チルト止め具３５が、ロック爪２１ｄの開口の下端２１ｄ-2からバネの付勢力で押し付けられながら滑り、ブラケット２１の縁辺２１-1に食い込むように形成された係合凹部２１ｅと係合する。
【００３７】
図１０Ｃの状態では、ストッパ３４に組み込まれたバネでチルト止め具３５が矢印ロの方向に付勢されるとともに、ディスプレイ装置１の自重でチルト止め具３５に係合凹部２１ｅが押し付けられて係合しているため、図１０Ｃに示す状態からチルト止め具３５が外れることはない。
このため、図１０Ｃに示すディスプレイ装置１のリヤーカバー３の下部に壁１００との十分な隙間を確保することがユーザーでも安全に実施でき、またリヤーカバー３に配設されている接続端子に対し、外部機器を追加するためケーブルの接続作業を容易に行うことができるようになる。
そして、この表示画面２が上を向いたチルト状態でロック爪２１ｄの近くに設けた孔２１ｇにネジを螺入し、その頭部で開口２１ｄ-1を狭めてチルト用止め具３５が抜けないように固定することができる。
【００３８】
また、ディスプレイ装置１を壁１００と略平行の状態に戻すときは、ロック爪２１ｄの近くの孔２１ｇのネジを抜いてからディスプレイ装置１を、図１０Ｃに示す矢印イの方向にわずか回動してチルト用止め具３５を係合凹部２１ｅとの係合から解除し、ロック爪２１ｄの開口２１ｄ-1の上方までチルト用止め具３５を持ち上げ、手を解放する。これにより、ディスプレイ装置１はその自重により図１０Ａに示す状態に戻る。そして、固定のため長孔３４ｃにネジを螺入する。  
【００３９】
以下、図１０例の構成の壁掛け支持装置で、そのプレートユニット３０上で、図７及び図８に示す軸受３６Ｌ，３６Ｒの取付け位置を変更したときの動作について、図１１を参照して説明する。
図１１に示すプレートユニット３０は、図１０に示すディスプレイ装置１が壁１００と略平行であるときの第１の軸３１ｂと第３の軸３２ｃとの間隔がＬであるのに対し（図１０Ａ参照）、その間隔をＬ−Δとし、距離Δだけ小さくなるようにしたものである。
【００４０】
この場合、先ず、図８に示すように、壁１００にプレートユニット３０が固定された、ディスプレイ装置１が懸架されていない状態で、第１のレバー３２の軸受３６を矢印イの方向に持ち上げ、上述例でベースプレート３１のネジ孔３６ｂ-2，３６ｂ-2，…の最下で固定するように螺入されていたネジを、所定の表示画面２のチルト（傾斜）角に対応したより高い位置のネジ孔３６ｂ-2に取り付ける。
これにより、第１のレバー３２の上端部の掛合軸３２ａは、図８に示す矢印ロの方向にベースプレート３１から離れるように回動され配される。
【００４１】
次に、上述例と同様の要領で、ディスプレイ装置１のリヤーカバー３に固定されたフックユニット２０のフック２１ａをプレートユニット３０の掛合軸３２ａに引っ掛けてディスプレイ装置１を懸架する（図１１Ａ参照）。
ここで、フックユニット２０がリヤーカバー３に固定されたディスプレイ装置１では、図１１Ａに示すように、全体の重心Ｇがディスプレイ装置１のリヤーカバー３の下方寄りとなっているため、ディスプレイ装置１が傾いた状態が安定となり、ディスプレイ装置１の下端は壁１００の側に相対的に近づき自ずとチルト角θ（画面の傾斜）をもつようになされる。そして、図１１Ａに示す距離Ｌ−Δが小さいとき、ディスプレイ装置１は図１１Ａに示す懸架された状態で、フックユニット２０のブラケット２１下部の突起２１ｈがベースプレート３１の面３１-1に当接するようになされ、ディスプレイ装置１が大きく振れるようなことがない。
【００４２】
次に、プレートユニット３０の第１のレバー３２の上端部に設けた円弧状の長孔３２ｄとフックユニット２０のブラケット２１上部のフック２１ａ近くに設けたネジ孔２１ｆにネジを螺入するとともに、プレートユニット３０のストッパ３４に設けた長孔３４ｃとフックユニット２０のブラケット２１下部の突起２１ｈに設けたネジ孔２１ｊにネジを螺入することにより、フックユニット２０とプレートユニット３０とが外れないように連結され、ディスプレイ装置１を壁１００に対してがたなく一体に固定する。  
【００４３】
このように、軸受３６の取り付け高さを変え、図１１Ａに示す、第１の軸３１ｂと第３の軸３２ｃとの間隔を距離Δだけ図１０Ａに示す距離Ｌよりも小さくすることにより、第１のレバー３１の先端の掛合軸３２ａがベースプレート３１から離れるようになされ、この状態でフックユニット２０とプレートユニット３０とを下部で固定することでディスプレイ装置１のチルト角θを大きく設定することができる。
【００４４】
また、このようにチルト角θを有するように設定されたディスプレイ装置１のリヤーカバー３下部の外部接続端子へのケーブル接続も、上述例と同様に行うことができる。
すなわち、先ず、図１１Ａにおいて、壁掛け支持装置の下部でフックユニット２０とプレートユニット３０とを連結している長孔３４ｃの挿通ネジを外して固定を解除し、ディスプレイ装置１を揺動自在に懸架する。
次に、ディスプレイ装置１の下端を把持し、壁１００から遠ざけるように図１１Ｂに示す矢印イの方向に回動する。
次に、ディスプレイ装置１の下端を図１０Ｃに示す矢印イの方向にさらに回動させ、チルト止め具３５をフックユニット２０のブラケット２１ロック爪２１ｄの開口２１ｄ-1に挿着させる。
最後に、ディスプレイ装置１の下端の把持を解放して、チルト止め具３５を係合凹部２１ｅと係合させる（図１１Ｃ）。
このディスプレイ装置１のリヤーカバー３と壁１００との間に十分な間隙を確保した状態で外部機器とのケーブル接続を安全に行うことができる。
【００４５】
本例の壁掛け支持装置では、図１０，図１１に示すように、プレートユニット３０とディスプレイ装置１のリヤーカバー３に取付けられたフックユニット２０との固定位置を変更することで、表示画面２のチルト角を変えることができ、ディスプレイ装置１を壁１００の上側に設置して表示画面２を下向きにするだけでなく、床近くの壁１００に設置して表示画面２を上向きにすることができ、例えば、壁１００の上下方向にスライドレールを設け、この上でプレートユニット３０を摺動固定できるようにすることにより、ホームシアターとする部屋の事情とその時々の視聴スタイルに応じて自由に設定することもできる。
【００４６】
また、ディスプレイ装置１のリヤーカバー３に取付けられたフックユニット２０に設けられたウーハーユニット４が、低音周波数帯域の音量を効率よく補強し、また、ウーハーユニット４が壁１００に近接して対向して配置されるため、照射された低音周波数帯域の音波が壁１００で反射されたり壁１００全体を振動させたりし、チルト角を変えること反射波の方向を変えて音像を変化させるとともに、壁１００や床から伝達される振動により直接体感させることができ臨場感をより向上させることができる。
【００４７】
本例の表示装置の壁掛け支持装置によれば、ディスプレイ装置１の表示画面２のチルト角を上下何れの向きにも変更固定することができ、一体で壁１００と対向配設されるウーハーユニット４により簡便な構成で低音周波数帯域の音量を効率よく補強できるとともに臨場感をより向上させ、ホームシアター用のディスプレイ装置１に使用して好適なものとすることができる。
また、ウーハーユニット４を設けたフックユニット２０を、ディスプレイ装置１のリヤーカバー３に位置決めして取付けることで、ウーハーユニット４への給電配線に接続されたコネクタ２５ａがディスプレイ装置１の該当スピーカー端子に嵌めこむようになされるため、外部ケーブル接続にともなう接続漏れなどを起こさず、簡便に取り扱うことができるようになる。
【００４８】
本発明の表示装置の壁掛け支持装置は、上述例に限ることなく本発明の要旨を逸脱することなく、その他種々の構成を採り得ることは勿論である。
【図面の簡単な説明】
【００４９】
【図１】本発明の実施の形態の一例のプレートユニットとフックユニットの分離状態の説明図である。
【図２】本発明の実施の形態の一例を、表示装置を透過して示す斜視図である。
【図３】本発明の実施の形態の一例の表示装置に固定されるフックユニットを示す斜視図である。
【図４】本発明の実施の形態の一例のフックユニットの３面図で、Ａは平面図、Ｂは正面図、Ｃは側面図、Ｄは下面図である。
【図５】本発明の実施の形態の一例のフックユニットの斜視図である。
【図６】本発明の実施の形態の一例の壁に固定されるプレートユニットを示し、Ａは正面図、Ｂは側面図である。
【図７】本発明の実施の形態の一例のプレートユニットの斜視図である。
【図８】本発明の実施の形態の一例のプレートユニットの要部拡大斜視図である。
【図９】本発明の実施の形態の一例のプレートユニットへのフックユニットの連結作業の説明図である。
【図１０】本発明の実施の形態の一例の動作の説明に供する、Ａは連結状態、Ｂは回動途中の状態、Ｃは回動後の掛止状態を示す側面図である。
【図１１】本発明の実施の形態の一例の別の動作の説明に供する、Ａは連結状態、Ｂは回動途中の状態、Ｃは回動後の掛止状態を示す側面図である。
【図１２】表示装置の一例の外観斜視図である。
【符号の説明】
【００５０】
１…ディスプレイ装置、３…リヤーカバー、４…ウーハー（スピーカー）ユニット、２０…フックユニット、２１ａ…フック、３０…プレートユニット、３２…第１のレバー、３２ａ…掛合軸、３３…第２のレバー、１００…壁
【図１】
2006033099.tif 000003
【図２】
2006033099.tif 000004
【図３】
2006033099.tif 000005
【図４】
2006033099.tif 000006
【図５】
2006033099.tif 000007
【図６】
2006033099.tif 000008
【図７】
2006033099.tif 000009
【図８】
2006033099.tif 000010
【図９】
2006033099.tif 000011
【図１０】
2006033099.tif 000012
【図１１】
2006033099.tif 000013
【図１２】
2006033099.tif 000014